(57)【要約】【課題】タイマー付き電源タップにおいて、複数のプラグ挿入口に複数の機器が接続され、タイマーによる通電時に大量の電力が必要な場合であっても、電源のブレーカーを遮断させることがない電源タップを提供する。【解決手段】タイマー付き電源タップ１は、６個のプラグ挿入口２（２ａ〜２ｆ）が設けられた電源タップ３と、タイマーの設定を行うタイマー部４を備える。電源タップ３は、合成樹脂製のケース５を備え、電源ケーブル６が取り付けられ、この電源ケーブル６から内部の金属端子を介してプラグ挿入口２に電源を供給する。電源タップ３には、接続ケーブル７を介してタイマー部４が接続される。制御部１２は、時刻が設定時刻となった際に、まず、プラグ挿入口２ａに電源を供給する。次に、制御部１２は、第ｎ＋１、即ちプラグ挿入口２ｂに対して、所定の遅延時間（例えば０．５秒）の経過後に電源を供給する。【選択図】図１
2020095889.tif 000002
【特許請求の範囲】
【請求項１】
複数のプラグ挿入口を有する電源タップと、前記プラグ挿入口への電源の断続を行うタイマー部とを備えたタイマー付き電源タップであって、
前記タイマー部は、設定された通電時刻に複数の前記プラグ挿入口への通電を開始する際に、第１のプラグ挿入口に通電し、前記第１のプラグ挿入口とは異なるプラグ挿入口に対する通電を所定の遅延時間だけ遅らせて行うことを特徴とするタイマー付き電源タップ。
【請求項２】
請求項１に記載のタイマー付き電源タップであって、
前記異なるプラグ挿入口に対する通電は、
前記第１のプラグ挿入口に対する通電に対して、第ｎ＋１（ｎは１以上の整数）のプラグ挿入口に対する通電を所定の遅延時間だけ遅らせて行い、
前記タイマー部は、前記ｎを１から順次加算することを特徴とするタイマー付き電源タップ。
【請求項３】
請求項１に記載のタイマー付き電源タップであって、
前記タイマー部における前記異なるプラグ挿入口に対する通電は、
前記第１のプラグ挿入口に対する通電に対して、第ｎ＋１（ｎは１以上の整数）のプラグ挿入口に対する通電を所定の遅延時間だけ遅らせて行い、
前記タイマー部は、前記ｎを順不同で変更することを特徴とするタイマー付き電源タップ。
【請求項４】
請求項１〜３のいずれか１項に記載のタイマー付き電源タップであって、
前記タイマー部は、タイマーの設定を行う操作部を備え、
前記操作部によって前記遅延時間の調節が可能であることを特徴とするタイマー付き電源タップ。
【請求項５】
請求項１〜４のいずれか１項に記載のタイマー付き電源タップであって、
前記タイマー部は、タイマーの設定を行う操作部を備え、
前記操作部によって前記異なるプラグ挿入口に対する通電の順番を設定可能であることを特徴とするタイマー付き電源タップ。
【発明の詳細な説明】
【技術分野】
【０００１】
本発明は、複数の電源プラグを差し込むことが可能であり、タイマー機能を有する電源タップに関する。
【背景技術】
【０００２】
従来より、複数の電源プラグを差し込むことが可能なように、複数のプラグ挿入口を有する電源タップが知られている。例えば、本願出願人は、複数のプラグ挿入口を有し、プラグ挿入口の角度を変更可能な電源タップ等、種々の電源タップを提案している（特許文献１参照）。この種の電源タップには、複数の機器が接続され、それぞれの機器で必要に応じて電源のオン／オフが操作される。
【０００３】
また、タイマー機能を有する電源タップも知られている。このタイマーによって、電源タップの各プラグ挿入口への通電及び遮断が行われ、電源タップに接続された機器のタイマーによるオン／オフが行われる。
【先行技術文献】
【特許文献】
【０００４】
【特許文献１】特開２０１７−０７６５９３号公報
【発明の概要】
【発明が解決しようとする課題】
【０００５】
タイマー機能を有する電源タップにおいては、タイマーによる各プラグ挿入口への通電が行われると、各プラグ挿入口に一斉に電流が供給される。このとき、プラグ挿入口に接続された電気機器に対して通電された際に生じるいわゆる突入電流が複数のプラグ挿入口に同時に生じることがある。
【０００６】
また、プラグ挿入口の数が多く、各プラグ挿入口から供給される電流が大きい場合、電源タップの電源プラグと、電源プラグから延びるケーブルに多大な電流が流れることがある。これらのような場合、電流の大きさによっては、当該電源タップが接続されているコンセントのブレーカーが遮断されるおそれがある。
【０００７】
本発明は、タイマー付き電源タップにおいて、複数のプラグ挿入口に複数の機器が接続され、タイマーによる通電時に大量の電力が必要な場合であっても、電源のブレーカーを遮断させることがない電源タップを提供することを目的とする。
【課題を解決するための手段】
【０００８】
上記目的を達成するために、本発明のタイマー付き電源タップは、複数のプラグ挿入口を有する電源タップと、前記プラグ挿入口への電源の断続を行うタイマー部とを備えたタイマー付き電源タップであって、前記タイマー部は、設定された通電時刻に複数の前記プラグ挿入口への通電を開始する際に、第１のプラグ挿入口に通電し、前記第１のプラグ挿入口とは異なるプラグ挿入口に対する通電を所定の遅延時間だけ遅らせて行うことを特徴とする。
【０００９】
本発明のタイマー付き電源タップによれば、通電時刻において複数のプラグ挿入口に同時に通電が開始されるようにタイマーが設定された場合であっても、通電時刻には第１のプラグ挿入口の通電が行われ、その後第１のプラグ挿入口とは異なるプラグ挿入口に対する通電を所定の遅延時間だけ遅らせて行う。当該構成によれば、プラグ挿入口に接続された電気機器に対して通電された際に生じるいわゆる突入電流が複数のプラグ挿入口に同時に生じることがないので、電源タップ全体として大電流が発生することが防止される。これにより、電源タップが接続されているコンセントのブレーカーが遮断される等の不都合を防ぐことができる。
【００１０】
また、本発明のタイマー付き電源タップにおいて、前記異なるプラグ挿入口に対する通電は、前記第１のプラグ挿入口に対する通電に対して、第ｎ＋１（ｎは１以上の整数）のプラグ挿入口に対する通電を所定の遅延時間だけ遅らせて行い、前記タイマー部は、前記ｎを１から順次加算することで行うことができる。或いは、前記タイマー部における前記異なるプラグ挿入口に対する通電は、前記第１のプラグ挿入口に対する通電に対して、第ｎ＋１（ｎは１以上の整数）のプラグ挿入口に対する通電を所定の遅延時間だけ遅らせて行い、前記タイマー部は、前記ｎを順不同で変更することで行うことができる。
【００１１】
また、本発明のタイマー付き電源タップにおいて、前記タイマー部は、タイマーの設定を行う操作部を備え、前記操作部によって前記遅延時間の調節が可能であることが好ましい。当該構成によれば、電源タップに接続される機器の特性等に応じて遅延時間の調節が可能であるので、それぞれの電源タップの特性に合わせた遅延時間の設定が可能となる。
【００１２】
また、本発明のタイマー付き電源タップにおいて、前記タイマー部は、タイマーの設定を行う操作部を備え、前記操作部によって前記異なるプラグ挿入口に対する通電の順番を設定可能であることが好ましい。当該構成によれば、電源タップに接続される機器の特性等に応じて通電の順番を設定可能であるので、それぞれのプラグ挿入口に挿入される負荷の特性に合わせた通電の順番の設定が可能となる。
【図面の簡単な説明】
【００１３】
【図１】本発明の実施形態の一例であるタイマー付き電源タップの外観を示す説明図。
【図２】図１のタイマー部の詳細を示す説明図。
【図３】図１の電源タップの機能的構成を示す説明図。
【発明を実施するための形態】
【００１４】
次に、図１乃至図２を参照して、本発明の実施形態であるタイマー付き電源タップ１について説明する。タイマー付き電源タップ１は、図１に示すように、６個のプラグ挿入口２（２ａ〜２ｆ）が設けられた電源タップ３と、タイマーの設定を行うタイマー部４とを備えている。
【００１５】
電源タップ３は、合成樹脂製のケース５を備え、電源プラグ６ａが先端に設けられた電源ケーブル６が取り付けられ、この電源ケーブル６から内部の金属端子（図示省略）を介してプラグ挿入口２に電源を供給するものである。本実施形態においては、電源タップ３は、プラグ挿入口２ａからプラグ挿入口２ｆまでの６個のプラグ挿入口を備えている。
【００１６】
電源タップ３には、接続ケーブル７を介してタイマー部４が接続されている。タイマー部４は、図２に示すように、タイマーケース８と、タイマーの表示がなされる表示部９と、タイマーの設定を行う設定スイッチ１０（操作部）とを備え、プラグ挿入口２ａ〜２ｆへの電源の断続を行う。
【００１７】
本実施形態のタイマー付き電源タップ１においては、タイマー部４の表示部９の第１行目に示すように、Ｐ１〜Ｐ８の８個のプログラムを設定することができる。プログラムの内容としては、表示部の第２行目に示すように、６個のプラグ挿入口２ａ〜２ｆを示す１から６の数字を表示しており、１から６に対応するプラグ挿入口２ａ〜２ｆに対して、それぞれプログラムを組むことができる。
【００１８】
また、表示部９の３行目には「時刻  月  火  水  木  金  土  日  ＰＧＭ」の表示がなされており、月曜から日曜まで、曜日を指定してプログラムを組むことができるようになっている。表示部９の曜日表示の下の部分は、「ＡＭ  ＰＭ」の表示と、時刻を示すセグメント表示と、「オート  入  切」の表示が示されている。なお、本実施形態のタイマー付き電源タップ１におけるタイマーの設定の詳細については説明を省略する。
【００１９】
次に、図３を参照して、本実施形態のタイマー付き電源タップ１の機能的構成について説明する。図３に示すように、各プラグ挿入口２ａ〜２ｆに対して、それぞれスイッチ１１ａ〜１１ｆが設けられており、ケース５の内部に収納されている。また、ケース５内には、各スイッチ１１ａ〜１１ｆを制御する制御部１２が設けられており、この制御部１２は接続ケーブル７を介してタイマー部４に接続されている。
【００２０】
本実施形態のタイマー付き電源タップ１は、タイマー部４の設定スイッチ１０を操作することにより、各プラグ挿入口２に対して電源を供給するか遮断するかをプログラムすることができる。ここで、ある時刻において、複数のプラグ挿入口２、例えばプラグ挿入口２ａ〜プラグ挿入口２ｆの全てのプラグ挿入口２に電源が供給されるプログラムを設定した場合について説明する。
【００２１】
この場合、制御部１２は、時刻が通電を行う通電時刻となった際に、まず、スイッチ１１ａをオンにして第１のプラグ挿入口であるプラグ挿入口２ａに電源の供給を開始する。次に、制御部１２は、第ｎ＋１（ｎは１以上の整数）のプラグ挿入口に対して所定の遅延時間（例えば０．５秒）の経過後にスイッチ１１ｂをオンにして電源を供給する。
【００２２】
このとき、制御部１２は、ｎの数を順次加算して、第１のプラグ挿入口２ａとは異なる第２のプラグ挿入口２ｂ、第３のプラグ挿入口２ｃというように、第６のプラグ挿入口２ｆまで順次遅延時間の経過後にスイッチ１１ｂ〜１１ｆをオンにして電源を供給することができる。
【００２３】
このように、本実施形態のタイマー付き電源タップ１では、複数のプラグ挿入口２に電源が供給される場合であっても、まずはプラグ挿入口２ａに通電された後、それぞれ所定の遅延時間の経過後に異なるプラグ挿入口に順次電源が供給される。
【００２４】
本実施形態のタイマー付き電源タップ１では、上記の通り順次遅延時間の経過後に他のプラグ挿入口２ｂ〜２ｆに電源が供給されるため、いわゆる突入電流が集中することがないので、一度に大量の電流が電源ケーブル６に流れるという事態を回避することができる。
【００２５】
なお、上記実施形態においては、制御部１２は、第１のプラグ挿入口２ａとは異なる挿入口について、ｎの数を順次加算して順次遅延時間の経過後にスイッチ１１ｂ〜１１ｆをオンにしているが、これに限らず、ｎの数を２〜６（プラグ挿入口の個数）について順不同で選択し、異なるプラグ挿入口に電源を供給してもよい。また、上記実施形態では、第１のプラグ挿入口を２ａに設定しているが、これを他のプラグ挿入口２ｂ〜２ｆとすることも可能である。
【００２６】
また、本実施形態のタイマー付き電源タップ１は、タイマー部４の設定スイッチ１０を操作することにより、プラグ挿入口２ａの遅延時間を調節、又は変更することが可能である。また、タイマー付き電源タップ１は、タイマー部４の設定スイッチ１０を操作することにより、電源を供給するプラグ挿入口の順番も変更することができる。例えば、第１のプラグ挿入口２ａに電源を供給した後、第ｎ＋１のｎの数を順次加算するように設定可能としてもよく、ｎの数を任意に変更するように設定可能としてもよい。
【００２７】
また、上記実施形態においては、タイマー部４が電源タップ３のタイマーケース８と分離されたものについて説明したが、これに限らず、タイマーケース８とタイマー部４を一体にしてもよい。
【符号の説明】
【００２８】
１…タイマー付き電源タップ、２…プラグ挿入口（２ａ〜２ｆ）、３…電源タップ、４…タイマー部、５…ケース、６…電源ケーブル、６ａ…電源プラグ、７…接続ケーブル、８…タイマーケース、９…表示部、１０…設定スイッチ、１１ａ〜１１ｆ…スイッチ、１２…制御部。
【図１】
2020095889.tif 000003
【図２】
2020095889.tif 000004
【図３】
2020095889.tif 000005